(57)【要約】【課題】  使用済みフィルタの処理作業の効率を図るとともに、切断時に発生する汚染された物質の拡散を低減することにある。また、切断後のアルミニウムとろ紙との分離を容易にし、かつ切屑中への二酸化ウランの混在量を低減する。【解決手段】  使用済みＨＥＰＡフィルタ１を、上流側を下にして振動させることにより除塵した後、拘束手段１１によって拘束する。次いで、両頭丸鋸盤１２の丸鋸刃３０，３０によって木枠３の枠材３ｃの両端部を切断し、拘束手段１１を回動軸２５の周りを水平方向に１８０°回動させる。木枠３の枠材３ａの両端部を丸鋸刃３０，３０によって切断する。拘束手段１１を回動軸２５の周りを水平方向に９０°回動させて矢印Ｃ方向へ移動させる。枠材３ａの切断部位に、丸鋸刃３０の刃厚よりも薄い刃厚の帯鋸盤１３の帯鋸刃３５を挿入し、フィルタメディア２のろ紙を切断する。【選択図】  図２
2008175790.tif 000002
【特許請求の範囲】
【請求項１】
九十九折りに折り畳まれた長尺のろ紙と折り畳まれたろ紙間に挿入されたセパレータとからなるフィルタメディアと、このフィルタメディアを包囲する枠体とによって構成された使用済みフィルタの解体方法であって、使用済みフィルタを振動することにより除塵し、第１の切断手段によって枠体の両端付近部のみを接着層に接触しない位置で切断した後、枠体からろ紙を分離するために第２の切断手段によって前記枠体を切断した部位からろ紙を切断することを特徴とする使用済みフィルタの解体方法。
【請求項２】
九十九折りに折り畳まれた長尺のろ紙と折り畳まれたろ紙間に挿入されたセパレータとからなるフィルタメディアと、このフィルタメディアを包囲する枠体とによって構成された使用済みフィルタの解体装置であって、前記枠体の両端付近部のみを切断する第１の切断手段と、前記枠体を切断した部位から挿入し前記枠体から前記ろ紙を分離するためにろ紙を切断する第２の切断手段とを備え、前記第２の切断手段の刃厚を前記切溝の刃厚よりも小さくしたことを特徴とする使用済みフィルタの解体装置。
【請求項３】
請求項２記載の使用済みフィルタの解体装置において、使用済みフィルタを切断時に拘束するための拘束手段を設け、この拘束手段を、前記枠体の上下端を挟持する上板および底板と、前記上板の両側部に設けられ前記枠体の両側部を挟持する複数対の挟持治具とによって構成し、これら複数対の挟持治具は、前記第２の切断手段の切断動作に同期して順次退避することを特徴とする使用済みフィルタの解体装置。
【請求項４】
請求項２記載の使用済みフィルタの解体装置において、使用済みフィルタを切断時に拘束するために前記枠体の全面を拘束する拘束手段を設け、この拘束手段を、底板と、この底板に連結された左右の側板と、前記底板に立設された背面板と、この背面板に枢着された上板と、この上板に折曲形成された前板とによって構成し、前記底板と前記左右の側板との間および前記上板と前記左右の側板との間に、前記第２の切断手段の切断動作時に第２の切断手段が非接触状態となる隙間を設けたことを特徴とする使用済みフィルタの解体装置。
【発明の詳細な説明】
【技術分野】
【０００１】
本発明は、原子力施設やクリーンルーム等で使用されるＨＥＰＡフィルタまたはこれと同等の構造を有するフィルタを、使用済みになった後に、枠体を切断しフィルタメディアを分離する使用済みフィルタの解体方法およびその装置に関するものである。
【背景技術】
【０００２】
従来この種のフィルタの解体は、先ず使用済みフィルタを置き台にクランプし、一対のカッターによって木枠の左右の内縁に沿って切断することにより、左右の木枠と中央部のフィルタメディアとに３分割し、しかる後、フィルタメディアの上端をフィルタの高さよりも上方に配置したフィルタメディア巻取り機構によって巻き取ることにより、フィルタメディアの隙間に挿入されていたアルミニウム箔製のセパレータを重力により脱落させて分離していた。したがって、巻き取られたフィルタメディアはろ紙だけとなり、アルミニウムを含まない状態で集積させている（例えば、特許文献１参照）。
【特許文献１】特開２００２−３５７３２号公報（段落「００１２」および「００１３」、図１）
【発明の開示】
【発明が解決しようとする課題】
【０００３】
上述した従来の使用済みフィルタの解体方法においては、剛性が全く異なる木枠とフィルタメディアとを同じカッターで切断しているために、一方の材料の切断に無理が生じ、円滑な切断が行えないという問題がある。すなわち、木枠の切断に適した鋸歯を用いると木枠については確実に切断することができるが、フィルタメディアの切断が円滑に行われず切り口が滑らかに形成されないために、セパレータがろ紙に引っ掛かりろ紙から円滑に分離されないといったおそれがある。一方、フィルタメディアの切断に適した鋸歯を用いると、木枠の切断速度が遅くなり生産性が低下してしまう。また、解体する使用済みフィルタが原子力施設で使用されたフィルタである場合、木枠とフィルタメディアとを同時に同じ場所で切断する方法であるため、回収された切屑と切断解体時に生じる微量の二酸化ウランとが分離されてない状態になっており、回収された切屑の全てを最大濃縮度の二酸化ウランと同等とみなして管理する必要がある。したがって、大量の使用済みＨＥＰＡフィルタを解体処理する場合には、短時間のうちに管理容器が切屑によって収納しきれなくなるという問題があるばかりではなく、装置内に滞留する二酸化ウラン量を掌握するのにも都合が悪く、装置の清掃頻度が多くなり、全体の作業効率は著しく低下するという問題もある。また、フィルタメディアを木枠と同じカッターで切断する方法であるため、アルミニウムおよびろ紙から切屑が発生し、これが木屑に混在し、木屑にアルミニウムおよびろ紙が混在したままの放射性固体廃棄物が発生する。これらの分離は容易ではなく、混在した切屑の発生量によっては、アルミニウムが混在している放射性固体廃棄物の受入れが制限されてしまうという問題もある。また、汚染されたフィルタメディア面を鉛直方向とした状態で切断するため、切断時に汚染された物質が拡散するおそれがある。
【０００４】
本発明は上記した従来の問題に鑑みなされたものであり、その目的とするところは、使用済みフィルタの処理作業の効率を図るとともに、切断時に発生する汚染された物質の拡散を低減することにある。また、切断後のアルミニウムとろ紙との分離を容易にし、かつ切屑中への二酸化ウランの混在量を低減することにある。
【課題を解決するための手段】
【０００５】
この目的を達成するために、請求項１に係る発明は、九十九折りに折り畳まれた長尺のろ紙と折り畳まれたろ紙間に挿入されたセパレータとからなるフィルタメディアと、このフィルタメディアを包囲する枠体とによって構成された使用済みフィルタの解体方法であって、使用済みフィルタを振動することにより除塵し、第１の切断手段によって枠体の両端付近部のみを接着層に接触しない位置で切断した後、枠体からろ紙を分離するために第２の切断手段によって前記枠体を切断した部位からろ紙を切断するものである。
請求項２に係る発明は、九十九折りに折り畳まれた長尺のろ紙と折り畳まれたろ紙間に挿入されたセパレータとからなるフィルタメディアと、このフィルタメディアを包囲する枠体とによって構成された使用済みフィルタの解体装置であって、前記枠体の両端付近部のみを切断する第１の切断手段と、前記枠体を切断した部位から挿入し前記枠体から前記フィルタメディアを分離するためにフィルタメディアを切断する第２の切断手段とを備え、前記第２の切断手段の刃厚を前記切溝の刃厚よりも小さくしたものである。
請求項３に係る発明は、請求項２に係る発明において、使用済みフィルタを切断時に拘束するための拘束手段を設け、この拘束手段を、前記枠体の上下端を挟持する上板および底板と、前記上板の両側部に設けられ前記枠体の両側部を挟持する複数対の挟持治具とによって構成し、これら複数対の挟持治具は、前記第２の切断手段の切断動作に同期して順次退避するものである。
請求項４に係る発明は、請求項２に係る発明において、使用済みフィルタを切断時に拘束するために前記枠体の全面を拘束する拘束手段を設け、この拘束手段を、底板と、この底板に連結された左右の側板と、前記底板に立設された背面板と、この背面板に枢着された上板と、この上板に折曲形成された前板とによって構成し、前記底板と前記左右の側板との間および前記上板と前記左右の側板との間に、前記第２の切断手段の切断動作時に第２の切断手段が非接触状態となる隙間を設けたものである。
【発明の効果】
【０００６】
本発明によれば、枠体の切断を短時間で行うことができるとともに、フィルタメディアの切り口が滑らかに形成されるため、アルミニウム箔製セパレータとろ紙とを分離する際に、セパレータとろ紙との間に引っ掛かりが発生しないから分離を円滑に行うことができる。また、使用済みフィルタが原子力で使用されたフィルタである場合、枠体を切断する際に発生する切屑を二酸化ウランをほとんど含まない可燃性放射性廃棄物として取り扱うことができるから、使用済みフィルタの処理作業の効率を向上させることができる。また、切断する以前に予め除塵するため、切断時において汚染された物質の拡散を低減することができる。また、枠体を第１の切断手段で切断した後、切屑を発生させない第２の切断手段によってフィルタメディアを切断するようにしたため、木屑とアルミニウムおよびろ紙が混在したままの切屑を生じることがなくなるため、放射性固体廃棄物の受入れ制限を回避することができ、将来六ヶ所村などの国内での最終処分も可能となる。
【発明を実施するための最良の形態】
【０００７】
以下、本発明の実施の形態を図に基づいて説明する。図１は本発明に係る使用済みフィルタの解体装置において、第１の実施の形態の拘束手段を用いて木枠の切断作業をしている状態を示す外観斜視図、図２は同じくフィルタメディアの切断作業をしている状態を示す外観斜視図、図３は同じく拘束手段の平面図、図４は図３におけるIV-IV 線断面図であって、帯鋸盤の帯鋸刃の移動端限を示し、図５は図３におけるＶ矢視図である。
【０００８】
図１で符号１で示すＨＥＰＡ （High Efficiency Particulate Airfilter；以下、フィルタという）フィルタは、ガラス繊維を含む長尺状に形成され九十九折りに折り畳まれたろ紙とろ紙間に挿入されたアルミニウム箔製のセパレータとからなるフィルタメディア２と、このフィルタメディア２を囲む枠体としての木枠３とによって形成されている。木枠３は４枚の枠材３ａないし３ｄが複数の木ねじ４で固定されることによって枠状に形成されており、この木枠３内の枠材３ｂと枠材３ｄにフィルタメディア２がシール用埋め込み樹脂５によって固定され枠材３ａと枠材３シートにろ紙の紙端が貼り付けられている。このフィルタ１は、図示を省略した装置内において、空気流の流れに対して上流側にフィルタメディア２の一方の面２Ａが対向し、下流側にフィルタメディアの他方の面２Ｂが対向するようにして取り付けられている。
【０００９】
全体を符号１０で示す使用済みフィルタの解体装置は、使用済みフィルタ１を拘束して固定する拘束手段１１と、木枠３を切断するための第１の切断手段としての両頭丸鋸盤１２と、フィルタメディア２を木枠３から分離するためにフィルタメディア２を切断する第２の切断手段としての一対の帯鋸盤１３，１３とによって構成されている。
【００１０】
拘束手段１１は、前記木枠３の枠材３ａ，３ｃの上下端を挟持する上板１４および底板１５と、底板１５の背面側に一体的に立設された背面板１６と、底板１５と連結部材１７，１７を介して連結された左右の側板１８，１９と、底板１５の前面側に起伏自在に枢着された前面板２０と、上板１４に設けられた三対の挟持治具２１とによって構成されている。上板１４の両側部と左右の側板１８，１９との間および底板１５と左右の側板１８，１９との間には、図２および図３に示すように、一対の帯鋸盤１３，１３の各帯鋸刃３５，３５が非接触状態で通過できる隙間１４ａ，１５ａが矢印Ｃ−Ｄ方向に延在するように設けられている。図３に示すように、連結部材１７には両頭丸鋸盤１２の後述する一対の丸鋸刃３０，３０が下降した際に干渉しないような溝１７ａ，１７ａが設けられている。
【００１１】
挟持治具２１はロータリアクチュエータ２２を介してアーム２３が上板１４の側部に取り付けられており、ロータリアクチュエータ２２の作動によって、アーム２３が上方の退避位置と下方の拘束位置との間を移動自在に支持されている。２４は上板昇降用のアクチュエータであって、進退自在なロッド２４ａの先端に上板１４が取り付けられており、ロッド２４ａが前進することにより上板１４が下降し、ロッド２４ａが後退することにより上板１４が上昇する。また、この拘束手段１１は、回転軸２５を中心として水平方向に回動自在に支持されているとともに、図２に示すように、リニアガイド２６によって、矢印Ａ−Ｂと直交する矢印Ｃ−Ｄ方向に移動自在に支持されている。
【００１２】
両頭丸鋸盤１２は両端に一対の丸鋸刃３０，３０が回転自在に支持されており、これら丸鋸刃３０，３０にはあさりが設けられ、このあさりを含んだ刃厚が５ｍｍに形成され、この両頭丸鋸盤１２の定格出力は１．５ＫＷと比較的高いものが使用されている。
【００１３】
両頭丸鋸盤１２はスタンド３２に垂直リニアガイド３１を介して昇降自在に支持されており、丸鋸盤昇降用電動モータ３３を駆動源として昇降チェーン３４を介して昇降するように構成されている。ここで、動力伝達手段としてボールねじを使用せずに昇降チェーン３４としたのは、切削時に発生する木屑や装置のフード内を浮遊する微細な二酸化ウランが、長年にわたって動力伝達手段にもたらす影響を配慮したからである。
【００１４】
一対の帯鋸盤１３，１３は、図２に示すようにリニアガイド２６の矢印Ｃ−Ｄ方向の略中央部に対応する位置に、図３に示すように帯鋸刃３５が水平面に対して略６０°±１５°に傾斜するように固定されており、一対の帯鋸刃３５，３５間の間隔は、一対の丸鋸刃３０，３０間の間隔と同じ長さに設定されている。すなわち、帯鋸刃３５，３５間の間隔は、この帯鋸刃３５，３５によってフィルタメディア２を切断するときに、誤ってシール用埋め込み樹脂５に干渉しないように、シール用埋め込み樹脂５の表面位置が、拘束手段１１による拘束時におけるばらつきを考慮して設定されている。この帯鋸刃３５は、刃厚が１ｍｍで刃高が１０ｍｍのカミソリ状に形成されており、この帯鋸刃３５の鋸引き速度は、最大で２６ｍ／min.で、帯鋸盤１３の定格出力を、上述した丸鋸盤１２の定格出力よりも低い０．２ＫＷとしている。
【００１５】
次に、このような構成の使用済みフィルタの解体装置による解体動作を説明する。先ず、使用済みフィルタを図示を省略した装置のフード内に入れ、梱包のポリエチレン袋から使用済みフィルタを取り出す。次に、使用済みフィルタ本体の上流側の面２Ａを下側にして  図示を省略した振動式二酸化ウラン分離機に取り付ける。この振動式二酸化ウラン分離機の型式は偏芯式で、定格出力が０．２５ＫＷ、加速度が約１１Ｇ、振幅が約９ｍｍとし、使用済みフィルタがＸＹＺ軸方法に動けるように、下部のホッパと共にばねの上に載せ浮遊状態にした。
【００１６】
このように、使用済みフィルタ１の切断解体を始める前処理として、使用済みフィルタ１の汚れた上流側の面２Ａを下向きに置き、強力な振動を与えて二酸化ウランを振るい落とすことにより、二酸化ウランは拡散浮遊することなく下部のホッパを経由し容器に収容することができる。このため、後述する切断解体中に生じる切屑と二酸化ウランとが混在する機会をあらかじめ低減しておくことができる。
【００１７】
次に、拘束手段１１の前板２０を、二点鎖線で示すように水平となるように倒伏させ、振動除塵済みのフィルタ１を拘束手段１１の両側板１８，１９間に、フィルタメディア２のろ紙の折り目が挿入（矢印Ａ−Ｂ）方向と直交するようにして挿入し、枠板３ｃが背面板１６に当接するまで押し込み、前板２０を実線で示すように起こす。この状態で、フィルタ１の図１での矢印Ａ−Ｂ方向への移動が前板２０と背面板１６とによって拘束され、フィルタ１の図１での矢印Ｃ−Ｄ方向への移動が左右の側板１８，１９によって拘束される。
【００１８】
次いで、上板昇降用のアクチュエータ２４のロッド２４ａを前進させることにより、上板１４を下降させ、この上板１４を木枠３の枠材３ａ，３ｃの上端に当接させて、フィルタ１の上下方向への移動を、上板１４と底板１５とで挟持することにより拘束する。三対の挟持治具２１のロータリアクチュエータ２２を作動させてアーム２３を下降させ、三対のアーム２３によって左右の枠材３ｂ，３ｄを挟持し、第２の切断時に枠材３ｂ，３ｄが矢印Ｃ−Ｄ方向に引きずられないように、また切断後に矢印Ａ−Ｂ方向へ倒れないように拘束する。
【００１９】
フィルタ１を拘束手段１１によって拘束した状態で、枠材３ｄと枠材３ａおよび枠材３ｃとを固定している木ねじ４を取り外し、拘束手段１１を回動軸２５の周りに水平方向に１８０°回動させ、枠材３ｂと枠材３ａおよび枠材３ｃとを固定している木ねじ４を取り外し、取り外した１６本の木ねじ４を不燃廃棄物として専用容器に回収する。
【００２０】
次に、両頭丸鋸盤１２を作動させ、丸鋸刃３０を回転させた状態で、丸鋸盤昇降用電動モータ３３を作動させ、リニアガイド３１を１ストロークだけ下降させることにより、一対の丸鋸刃３０，３０によって枠材３ｃの両端部を切断する。枠材３ｃの両端部を切断したら、両頭丸鋸盤１２の作動を一旦停止し、拘束手段１１を、回転軸２５を中心として水平方向に１８０°回動させ、再び両頭丸鋸盤１２の丸鋸刃３０によって枠材３ａの両端部を切断する。
【００２１】
このように、木枠３を水平方向に１８０°回動させ、木枠３を切断するときに発生する切屑を、一対の丸鋸刃３０，３０の周囲でのみ発生するように発生場所を特定し、かつ木枠３を切断する際にフィルタメディア２を切断することがないから、木枠３の切屑を二酸化ウランをほとんど含まない可燃性放射性廃棄物として取り扱うことができる。したがって、二酸化ウランの管理容器が切屑によって短時間で収納しきれなくなることがない。このため、二酸化ウランの回収作業を経済的に行えるとともに、装置内に滞留する二酸化ウラン量を掌握する作業も容易となり、装置を清掃する頻度も少なくすることができる。丸鋸刃３０によって木枠３を切断するときに、切屑に対してフィルタメディア２の混在が最小限となるように、かつ木枠の切り残しが発生しないようにするため、切断深さを木枠３の厚みよりもわずかに大きく設定するように調整する。したがって、後工程での帯鋸刃３５が木枠の切り残しによる破損を防止することができる。両頭丸鋸盤１２は定格出力が大きいものを使用しているため、この木枠３の切断作業を短時間で行うことができる。
【００２２】
次いで、拘束手段１１を、図２に示すように、回動軸２５の周りを水平方向に９０°回動させ、リニアガイド２６を介して矢印Ｃ方向に移動させる。移動中に一対の帯鋸盤１３，１３の帯鋸刃３５，３５が、丸鋸刃３０によって切断された枠材３ａの切断部位３７，３７に挿入され、この帯鋸刃３５，３５によってフィルタメディア２が切断され木枠３から分離される。このとき、三対の挟持手段２１のロータリアクチュエータ２２が順次作動し、アーム２３が順次退避位置に移動するので、帯鋸刃３５はアーム２３に干渉されることなくフィルタメディア２の切断が行われる。また、上板１４の両側部と左右の側板１８，１９との間および底板１５と左右の側板１８，１９との間に、一対の帯鋸盤１３，１３の各帯鋸刃３５，３５が非接触状態で通過できる隙間１４ａ，１５ａが設けられているから、帯鋸刃３５，３５が上板１４と底板１５に干渉されるようなことがないとともに、図４に示すように、帯鋸刃３５，３５が移動端限において連結部材１７に干渉されるようなこともない。
【００２３】
上述したように、一対の帯鋸刃３５，３５間の間隔は、一対の丸鋸刃３０，３０間の間隔と同じ間隔に設定され、かつ帯鋸刃３５の刃厚が、丸鋸刃３０によって切断された枠材３ａ，３ｃの切断部位３７の幅５ｍｍよりも小さい１ｍｍに形成されているため、帯鋸刃３５は木枠３に干渉されることがないから、帯鋸刃３５が破損するようなことがない。また、帯鋸刃３５は、刃厚が１ｍｍで刃高が１０ｍｍのカミソリ状に形成されているので、フィルタメディア２からの切屑がほとんど発生しないため、木屑とアルミニウムおよびろ紙が混在したままの放射性固体廃棄物を生じることがない。また、フィルタメディア２の切り口が滑らかに形成されるため、アルミニウム箔製セパレータとろ紙とを分離する際に、セパレータとろ紙との間に引っ掛かりが発生しないから分離が円滑に行われる。また、フィルタ１の汚れた上流面２Ａを下側に向けて切断作業をするため、汚染された物質の拡散を防止することができる。
【００２４】
また、三対の挟持治具２１によるフィルタ１の拘束が、木枠３を切断する作業の開始からフィルタメディア２を切断する作業が完了するまでの間保持されているため、一連の作業中に木枠３の位置、すなわち丸鋸刃３０によって切断された枠材３ａ，３ｃの切断部位３７の位置がずれるようなことがない。このため、帯鋸盤１３の薄肉状に形成した帯鋸刃３５が、切断部位３７以外の部位に当たることがないから帯鋸刃３５の損傷を防止できる。
【００２５】
図６は本発明に係る使用済みフィルタの解体装置において、拘束手段の第２の実施の形態を用いて切断作業をしている状態を示す外観斜視図である。
【００２６】
同図において、符号５０で示す拘束手段は、底板５１と、この底板５１と連結部材５２を介して連結された左右の側板５３，５４と、底板５１の背面側に一体に立設された背面板５５と、この背面板５５の上端縁に蝶番を介して開閉自在に枢着された上板５６と、この上板５６の前端に直角に折曲形成された前板５７とによって構成されている。
【００２７】
底板５１の両側端と左右の側板５３，５４との間および上板５６の両側端と左右の側板５３，５４との間には、上述した帯鋸刃３５による切断動作時にこの帯鋸刃３５がこれら部材と非接触状態で通過できる隙間５８が矢印Ｃ−Ｄ方向に延在するように設けられている。左右の側板５３，５４の上端および上板５６には、複数の押圧手段５９が設けられており、これらの押圧手段５９を時計方向に回転操作することにより、拘束手段５０に収納されたフィルタ１の４枚の枠材のＸ、Ｙ、Ｚ方向への移動を規制する。
【００２８】
前板５７の上端には、２つの固定ジョイント６０，６０が設けられており、これら固定ジョイント６０，６０を時計方向に回転操作することにより、前板５７の下端から固定ジョイント６０，６０の下端部に形成したねじ部が突出し、底板５１のねじ穴６１，６１に螺合し上板５６を閉じる。この拘束手段５０は、上述した第１の拘束手段１１と同様に、回転軸６２を中心として水平方向に回動させることが可能であるとともに、図示を省略したリアガイドによって矢印Ｃ−Ｄ方向へ移動可能に支持されている。
【００２９】
このような構成において、拘束手段５０内にフィルタ１を収納するには、固定ジョイント６０，６０を反時計方向に回転操作して下端部のねじ部と底板５１のねじ孔６１との螺合を解除し、上板５６を回動させて開く。フィルタ１を、フィルタメディア２のろ紙の折り目が搬入方向（矢印Ａ−Ｂ方向）と直交するようにして、拘束手段５０の前板５７が開放された開口から拘束手段５０内に搬入し、フィルタ１の前端を背面板５５に当接させる。
【００３０】
次いで、上板５６を回動させてこの上板５６によってフィルタ１の上端を閉じ、前板５７によってフィルタ１の後端を覆い、固定ジョイント６０を時計方向に回転操作することにより、固定ジョイント６０の下端のねじ部を底板５１のねじ穴６１，６１に螺合させ上板５６と前板５７を閉じる。同時に、押圧手段５９を時計方向に回転操作することにより、拘束手段５０に収納されたフィルタ１の４枚の枠材のＸ、Ｙ、Ｚ方向への移動を規制する。
【００３１】
この状態で、上述した第１の実施の形態と同様に、両頭丸鋸盤１２の丸鋸刃３０，３０によって、木枠３の枠材３ｃの両端部を切断し、しかる後拘束手段５０を回動軸６２を中心として水平方向に１８０°回動させて、丸鋸刃３０，３０によって、枠材３ａの両端部を切断する。そして、回動軸６２を中心として拘束手段５０を９０°回動させ、矢印Ｃ方向に移動させながら、枠材３ａの切断部位から帯鋸盤１３の帯鋸刃３５を挿入し、フィルタメディア２が切断され木枠３から分離される。このとき、底板５１の両側端と左右の側板５３，５４との間および上板５６の両側端と左右の側板５３，５４との間には、帯鋸刃３５による切断動作時にこの帯鋸刃３５がこれら部材と非接触状態で通過できる隙間５８が設けられているから、帯鋸刃３５が上板５６と底板５１とに干渉するようなことがない。この第２の実施の形態の拘束手段５０においては、両側板５３，５４にフィルタ１の４枚の枠材のＸ、Ｙ、Ｚ方向への移動を規制する押圧手段５９を設けたことにより、上述した第１の実施の形態のように挟持治具２１のアーム２３を退避させる制御が不要になる。
【００３２】
なお、本実施の形態においては、帯鋸刃３５の刃角を被切断部材であるろ紙面に対して６０±１５°に傾けて切断するようにしたが、帯鋸刃３５の鋸引き速度や切り進む速度を変えることにより、３０±１５°〜６０±１５°の範囲に傾けて切断するようにしてもよい。
【図面の簡単な説明】
【００３３】
【図１】本発明に係る使用済みフィルタの解体装置において、拘束手段の第１の実施例を用いて木枠の切断作業をしている状態を示す外観斜視図である。
【図２】本発明に係る使用済みフィルタの解体装置において、拘束手段の第１の実施例を用いてフィルタメディアの切断作業をしている状態を示す外観斜視図である。
【図３】本発明に係る使用済みフィルタの解体装置における拘束手段の平面図である。
【図４】図３におけるIV-IV 線断面図であって、帯鋸盤の帯鋸刃の移動端限を示す。
【図５】図３におけるＶ矢視図である。
【図６】本発明に係る使用済みフィルタの解体装置において、拘束手段の第２の実施の形態を用いて切断作業をしている状態を示す外観斜視図である。
【符号の説明】
【００３４】
１…ＨＥＰＡフィルタ、２…フィルタメディア、３…木枠、３ａないし３ｄ…枠材、４…木ねじ、５…シール用埋め込み樹脂、１０…使用済みフィルタの解体装置、１１，５０…拘束手段、１２…両頭丸鋸盤、１３…帯鋸盤、１４，５６…上板、１５，５１…底板、１６，５５…背面板、１７，５２…連結部材、１８，１９，５３，５４…側板、２０，５７…前板、２１…挟持治具、２２…ロータリアクチュエータ、２３…アーム、２４…上板昇降用のアクチュエータ、２５，６２…回動軸、２６…リニアガイド、３０…丸鋸刃、３５…帯鋸刃、３７…切断部位、５８…隙間、５９…押圧手段、６０…固定ジョイント。
【図１】
2008175790.tif 000003
【図２】
2008175790.tif 000004
【図３】
2008175790.tif 000005
【図４】
2008175790.tif 000006
【図５】
2008175790.tif 000007
【図６】
2008175790.tif 000008